(57)【要約】【課題】放射線検出器を備えた携帯型電子機器において、放射線の検出精度を向上させる。【解決手段】携帯型電子機器は、放射線検出器１４と、周囲環境から入射する光の強度を検出可能な入射光検出部１５と、制御部２とを備える。制御部２は、放射線検出器１４によって放射線量の検出を開始する前に入射光検出部１５によって周囲環境からの入射光の強度を検出する。制御部２は、周囲環境からの入射光の強度が所定の基準値以下であるという判定条件が満たされているか否かを判定し、判定条件が満たされていない場合には、放射線検出器１４によって放射線量の検出を行なわずに、判定条件の判定結果に基づく情報をユーザに通知する。【選択図】図３
2013195267.tif 000002
【特許請求の範囲】
【請求項１】
放射線検出器と、
周囲環境から入射する光の強度を検出可能な入射光検出部と、
制御部とを備え、
前記制御部は、前記放射線検出器によって放射線量の検出を開始する前に前記入射光検出部によって周囲環境からの入射光の強度を検出し、
前記制御部は、前記周囲環境からの入射光の強度が所定の基準値以下であるという判定条件が満たされているか否かを判定し、前記制御部は、前記判定条件が満たされていない場合には、前記放射線検出器によって放射線量の検出を行なわずに、前記判定条件の判定結果に基づく情報をユーザに通知する、携帯型電子機器。
【請求項２】
前記携帯型電子機器は、
正面および裏面を有する板状の筐体部と、
前記筐体部の正面に取り付けられ、画像および文字情報を表示するための表示パネルとをさらに備え、
前記入射光検出部は、
前記筐体部の正面に取り付けられた照度センサと、
前記筐体部の裏面に取り付けられたイメージセンサとを含み、
前記判定条件は、前記照度センサによって検出された照度が第１の基準値以下であるという第１の条件と、前記イメージセンサの出力信号に基づく輝度信号が第２の基準値以下であるという第２の条件とを含み、
前記制御部は、前記第１および第２の条件の少なくとも一方が満たされていない場合に、前記放射線検出器によって放射線量の検出を行わずに、前記判定条件の判定結果に基づく情報をユーザに通知する、請求項１に記載の携帯型電子機器。
【請求項３】
前記携帯型電子機器は、
正面および裏面を有する板状の筐体部と、
前記筐体部の正面に取り付けられ、画像および文字情報を表示するための表示パネルとをさらに備え、
前記入射光検出部は、前記筐体部の正面または裏面に取り付けられた照度センサを含み、
前記判定条件は、前記照度センサによって検出された照度が第１の基準値以下であるという第１の条件を含み、
前記制御部は、前記第１の条件が満たされていない場合に、前記放射線検出器によって放射線量の検出を行わずに、前記判定条件の判定結果に基づく情報をユーザに通知する、請求項１に記載の携帯型電子機器。
【請求項４】
前記携帯型電子機器は、
正面および裏面を有する板状の筐体部と、
前記筐体部の正面に取り付けられ、画像および文字情報を表示するための表示パネルとをさらに備え、
前記入射光検出部は、
前記筐体部の正面に取り付けられた第１のイメージセンサと、
前記筐体部の裏面に取り付けられた第２のイメージセンサとを含み、
前記判定条件は、前記第１のイメージセンサの出力信号に基づく輝度信号が第１の基準値以下であるという第１の条件と、前記第２のイメージセンサの出力信号に基づく輝度信号が第２の基準値以下であるという第２の条件とを含み、
前記制御部は、前記第１および第２の条件の少なくとも一方が満たされていない場合に、前記放射線検出器によって放射線量の検出を行わずに、前記判定条件の判定結果に基づく情報をユーザに通知する、請求項１に記載の携帯型電子機器。
【請求項５】
前記携帯型電子機器は、
正面および裏面を有する板状の筐体部と、
前記筐体部の正面に取り付けられ、画像および文字情報を表示するための表示パネルとをさらに備え、
前記入射光検出部は、前記筐体部の正面または裏面に取り付けられたイメージセンサを含み、
前記判定条件は、前記イメージセンサの出力信号に基づく輝度信号が第１の基準値以下であるという第１の条件を含み、
前記制御部は、前記第１の条件が満たされていない場合に、前記放射線検出器によって放射線量の検出を行わずに、前記判定条件の判定結果に基づく情報をユーザに通知する、請求項１に記載の携帯型電子機器。
【請求項６】
前記携帯型電子機器は、さらに、
音声を出力するスピーカと、
バイブレータとを備え、
前記制御部は、前記表示パネルへの表示または前記スピーカからの出力音または前記バイブレータの振動によって、前記判定条件の判定結果に基づく情報をユーザに通知する、請求項２〜５のいずれか１項に記載の携帯型電子機器。
【請求項７】
前記携帯型電子機器は、電話機能を備えた携帯端末である、請求項６に記載の携帯型電子機器。
【発明の詳細な説明】
【技術分野】
【０００１】
この発明は、放射線センサを備えた携帯型電子機器に関し、たとえば、放射線センサを備えた携帯電話機またはＰＤＡ（Personal  Digital  Assistants）などに好適に用いられるものである。
【背景技術】
【０００２】
市販の放射線測定装置（一般にガイガーカウンタと称される）では、測定精度を向上させるために、可視光および電磁波を遮断し、ガンマ線を通過させるセンサカバー（遮光シートとも称する）が設けられる。
【０００３】
たとえば、特開２００９−１７４９５６号公報（特許文献１）は、センサカバーとして炭素繊維強化プラスチックを用いた例を開示する。炭素繊維強化プラスチップは、プラスチックに含浸された炭素繊維の性質により電気伝導性がよいため電磁遮蔽特性に優れ、さらにはガンマ線、エックス線に対する優れた透過性を備えている。
【先行技術文献】
【特許文献】
【０００４】
【特許文献１】特開２００９−１７４９５６号公報
【発明の概要】
【発明が解決しようとする課題】
【０００５】
この発明の発明者は、携帯電話機やＰＤＡ（Personal  Digital  Assistants）などの携帯型電子機器に放射線センサを搭載することによって、手軽に放射線測定を行なえるようにすることを検討している。このような放射線検出器付きの携帯型電子機器は、これまで商品化されておらず、公知のものでない。
【０００６】
放射線の測定精度を確保するためには、一般に上記のようなセンサカバーが必要である。しかしながら、可視光および電磁波をほぼ完全に遮断するセンサカバーを携帯型電子機器に取り付けるためには、ホルダー等が必要になる。このため、構造が複雑化したり、携帯型電子機器の厚みが増したり、製造時の組み立てが困難になったり、余計なコストがかかったりする。
【０００７】
一方、携帯型電子機器の小型化、軽量化のためにセンサカバーの厚みを薄くすると、センサカバーの特性ばらつきが大きくなる。このため、センサカバーを透過した可視光が放射線センサに照射される可能性が生じるので、放射線センサとしてたとえばフォトダイオードを使用している場合には放射線を誤検出する虞がある。
【０００８】
この発明は上記の課題を考慮してなされたものであり、その目的は、放射線検出器を備えた携帯型電子機器において、放射線の検出精度を向上させることである。その他の課題と新規な特徴は、本明細書の記述および添付図面から明らかになるであろう。
【課題を解決するための手段】
【０００９】
この発明の一実施の形態による携帯型電子機器は、放射線検出器と、周囲環境から入射する光の強度を検出可能な入射光検出部と、制御部とを備える。制御部は、放射線検出器によって放射線量の検出を開始する前に入射光検出部によって周囲環境からの入射光の強度を検出する。制御部は、周囲環境からの入射光の強度が所定の基準値以下であるという判定条件が満たされているか否かを判定し、判定条件が満たされていない場合には、放射線検出器によって放射線量の検出を行なわずに、判定条件の判定結果に基づく情報をユーザに通知する。
【００１０】
好ましくは、携帯型電子機器は、正面および裏面を有する板状の筐体部と、筐体部の正面に取り付けられ、画像および文字情報を表示するための表示パネルとをさらに備える。入射光検出部は、筐体部の正面に取り付けられた照度センサと、筐体部の裏面に取り付けられたイメージセンサとを含む。この場合、判定条件は、照度センサによって検出された照度が第１の基準値以下であるという第１の条件と、イメージセンサの出力信号に基づく輝度信号が第２の基準値以下であるという第２の条件とを含む。制御部は、第１および第２の条件の少なくとも一方が満たされていない場合に、放射線検出器によって放射線量の検出を行わずに、判定条件の判定結果に基づく情報をユーザに通知する。
【００１１】
もしくは、好ましくは、入射光検出部は、筐体部の正面または裏面に取り付けられた照度センサを含む。この場合、判定条件は、照度センサによって検出された照度が第１の基準値以下であるという第１の条件を含む。制御部は、第１の条件が満たされていない場合に、放射線検出器によって放射線量の検出を行わずに、判定条件の判定結果に基づく情報をユーザに通知する。
【００１２】
もしくは、好ましくは、入射光検出部は、筐体部の正面に取り付けられた第１のイメージセンサと、筐体部の裏面に取り付けられた第２のイメージセンサとを含む。この場合、判定条件は、第１のイメージセンサの出力信号に基づく輝度信号が第１の基準値以下であるという第１の条件と、第２のイメージセンサの出力信号に基づく輝度信号が第２の基準値以下であるという第２の条件とを含む。制御部は、第１および第２の条件の少なくとも一方が満たされていない場合に、放射線検出器によって放射線量の検出を行わずに、判定条件の判定結果に基づく情報をユーザに通知する。
【００１３】
もしくは、好ましくは、入射光検出部は、筐体部の正面または裏面に取り付けられたイメージセンサを含む。この場合、判定条件は、イメージセンサの出力信号に基づく輝度信号が第１の基準値以下であるという第１の条件を含む。制御部は、第１の条件が満たされていない場合に、放射線検出器によって放射線量の検出を行わずに、判定条件の判定結果に基づく情報をユーザに通知する。
【００１４】
好ましくは、携帯型電子機器は、さらに、音声を出力するスピーカと、バイブレータとを備える。制御部は、表示パネルへの表示またはスピーカからの出力音またはバイブレータの振動によって、判定条件の判定結果に基づく情報をユーザに通知する。
【００１５】
好ましくは、携帯型電子機器は、電話機能を備えた携帯端末である。
【発明の効果】
【００１６】
上記の実施の形態によれば、放射線の検出精度を向上させることができる。
【図面の簡単な説明】
【００１７】
【図１】実施の形態１による携帯電話機１のハードウェア構成の一例を示すブロック図である。
【図２】実施の形態１による携帯電話機１の構成を模式的に示す断面図である。
【図３】図１、図２の携帯電話機１において放射線計測に関する部分の機能的構成を示すブロック図である。
【図４】実施の形態１の携帯電話機１によって放射線を測定する手順を示すフローチャートである。
【図５】実施の形態２による携帯電話機１Ａの構成を模式的に示す断面図である。
【図６】実施の形態２の携帯電話機１Ａによって放射線を測定する手順を示すフローチャートである。
【発明を実施するための形態】
【００１８】
以下、この発明の実施の形態について図面を参照して詳しく説明する。以下の説明では、放射線検出器を備えたスマートフォンなどの携帯電話機（携帯端末）を例に挙げて説明する。もっとも、この発明の適用対象は携帯電話機に限られるものでない。通信機能を備えていないＰＤＡ（Personal  Digital  Assistants）などに放射線検出器を搭載することもできるし、携帯型の放射線測定器に照度センサまたはイメージセンサなどを搭載した機器もこの発明の実施の形態の１つである。
【００１９】
なお、以下の説明において、同一または相当する部分には同一の参照符号を付して、その説明を繰返さない。
【００２０】
＜実施の形態１＞
［携帯電話機１の全体構成］
図１は、実施の形態１による携帯電話機１のハードウェア構成の一例を示すブロック図である。携帯電話機１は、中央処理装置（ＣＰＵ：Central  Processing  Unit）２、ＲＡＭ（Random  Access  Memory）３、ＲＯＭ（Read  Only  Memory）４、不揮発性メモリ５、通信装置６、アンテナ７、マイク８、スピーカ９、音声信号処理回路１０、表示部１２、入力部１１、バイブレータ１３、放射線検出器１４、照度センサＩＬＳ、イメージセンサＩＭＳ、および加速度センサ１７を含む。
【００２１】
ＣＰＵ２は、ＲＯＭ４および不揮発性メモリ５に格納されたプログラムを実行することによって、携帯電話機１全体の動作を制御する制御部として機能する。ＲＡＭ３は、ＣＰＵ２の主記憶として用いられる。
【００２２】
不揮発性メモリ５は、たとえば、フラッシュメモリなどのＥＥＰＲＯＭ（Electrically  Erasable  Programmable  Read-Only  Memory）によって構成される。不揮発性メモリに代えてハードディスクを設けてもよい。不揮発性メモリ５は、ＣＰＵ２から出力されたデータを格納する。特にこの実施の形態１の場合、不揮発性メモリ５は、放射線検出器１４による放射線の検出データを格納する。
【００２３】
通信装置６は、ＣＰＵ２の指令に基づいて、アンテナ７を介して音声信号およびデータ信号の無線通信を行なう。
【００２４】
音声信号処理回路１０は、マイク８で検出した音声信号をＡＤ（Analog-to-Digital）変換し、変換後のデジタル音声信号に対して符号化およびノイズ除去などの信号処理を行なう。音声信号処理回路１０は、さらに、音響出力すべきデジタル信号に対して所定の信号処理を行なってスピーカ９に出力する。なお、図１の場合と異なり、音声信号処理回路１０を設けずに、音声信号処理回路１０の機能をプログラムに基づいてＣＰＵ２が実行するようにしてもよい。
【００２５】
表示部１２は、液晶表示パネルまたはＥＬ（Electro-Luminescence）ディスプレイなどによって構成され、ＣＰＵ２の指令に基づいて文字情報および画像を表示する。
【００２６】
入力部１１は、ユーザが携帯電話機１に数字および文字などの入力操作を行なうためのハードウェアキーを含む。もしくは、携帯電話機１がスマートフォンなどの場合には、入力部１１は、表示部１２と一体化されたタッチパネルを含むように構成されていてもよい。この場合、ユーザは入力操作の大部分をタッチパネルを介して行なうので、ハードウェアキーとして、電源キー、音量キー、およびホーム画面に戻すためのホームキーなどの少数のキーのみが設けられ、数字および文字の入力用のキーは通常設けられない。
【００２７】
バイブレータ１３は、ＣＰＵ２の指令に基づいて振動するもので、たとえば、マナーモードに設定されているときにユーザに着信を伝える場合などに用いられる。
【００２８】
放射線検出器１４は、放射線センサと放射線センサから出力されたパルス信号を増幅するアンプとを含む。放射線センサは、たとえば、逆方向にバイアス電圧が印加されたシリコンＰＩＮフォトダイオードによって構成される。この場合、放射線が空乏層を通過したときに発生する電子正孔対によって、パルス状の電流信号が生成される。ＣＰＵ２は、放射線検出器１４による放射線検出の開始および終了を制御する。ＣＰＵ２は、放射線検出器１４から出力されたパルスの数をカウントすることによって、放射線量を検知する。
【００２９】
照度センサＩＬＳは、周囲の明るさを感知するセンサであり、フォトトランジスタまたはフォトダイオードによって構成される。携帯電話機の場合、通常、電池の消費電力を節約するために照度センサＩＬＳが設けられている。昼間のように周囲が明るい場合には、表示部１２を構成する液晶パネルのバックライトの輝度を上げ、夜間のように周囲が暗い場合にはバックライトの輝度を下げる。
【００３０】
イメージセンサＩＭＳは、カメラ用として設けられている。携帯電話機の場合には低消費電力に特徴があるＣＭＯＳ（Complementary  Metal  Oxide  Semiconductor）イメージセンサが一般的に用いられる。イメージセンサＩＭＳとしてＣＣＤ（Charge  Coupled  Device）イメージセンサを用いてもよい。ＤＳＰ１６は、イメージセンサＩＭＳの出力信号に対して所定の信号処理を行なう。
【００３１】
加速度センサ１７は、加速度を検出するセンサである。たとえば、加速度センサ１７は梁構造で支持された錘体を有し、錘体の変位量を静電容量またはピエゾ抵抗の変化として検出して出力する。錘体の変位量は加速度センサ１７に作用する加速度に比例する。通常、スマートフォンなどの携帯電話機には、重力加速度に基づいて自機の姿勢を検知するために３軸の加速度センサが備えられている。
【００３２】
図２は、実施の形態１による携帯電話機１の構成を模式的に示す断面図である。
図１、図２を参照して、携帯電話機１は略平板の形状の筐体２０を有する。図２には、筐体２０を長手方向に沿って切断したときの、入力部１１（タッチパネル１１Ａ）、表示部１２、放射線検出器１４、照度センサＩＬＳ、およびイメージセンサＩＭＳの配置が示されている。
【００３３】
具体的に、表示部およびタッチパネル１１Ａは一体的に形成され、筐体２０の正面に設けられる。照度センサＩＬＳも筐体２０の正面に設けられる。放射線検出器１４およびイメージセンサＩＭＳは筐体２０の裏面に設けられる。
【００３４】
放射線検出器１４の周りには、センサカバー２１が設けられる。センサカバー２１は、ガンマ線は透過するが、可視光および電磁波は遮蔽するものである。
【００３５】
［放射線計測について］
携帯電話機１は小型かつ軽量であることが望まれるので、図２のセンサカバー２１は厚みを薄くかつ軽量にする必要がある。このため、センサカバー２１によって完全に可視光の遮蔽ができないことがあり得る。そうすると、ＰＩＮフォトダイオードによって構成される放射線検出器などは可視光に対しても応答するため、結果として、放射線を誤検出することになってしまい放射線量の検出精度が劣化する。
【００３６】
以下に詳しく説明するように、実施の形態１による携帯電話機１は、周囲環境から入射する光の強度を検出可能な入射光検出部１５を含む。図１の照度センサＩＬＳおよびイメージセンサＩＭＳが入射光検出部１５に相当する。図１のＣＰＵ２は、放射線検出器１４によって放射線量の検出を開始する前に、入射光検出部１５によって周囲環境からの入射光の強度が所定の基準値以下であるという判定条件が満たされているか否かを判定する。そして、ＣＰＵ２は、この判定条件が満たされていない場合には、放射線検出器１４によって放射線量の検出を行なわずに、判定条件の判定結果に基づく情報をユーザに通知する。これによって放射線量の検出精度の劣化を防ぐことができる。
【００３７】
図３は、図１、図２の携帯電話機１において放射線計測に関する部分の機能的構成を示すブロック図である。
【００３８】
図３を参照して、ＣＰＵ２は、明るさ判定部３０およびシステム制御部３１としての機能を有する。これらの機能は、放射線計測のためのプログラムがＣＰＵ２によって実行されることによって実現される。
【００３９】
明るさ判定部３０は、照度センサＩＬＳによって検出された照度信号と、イメージセンサＩＭＳから出力されたＲ（赤）、Ｇ（緑）、Ｂ（青）の各色信号に基づく輝度信号との入力を受ける。色信号から輝度信号への変換は、ＤＳＰ１６によって行なわれる。明るさ判定部３０は、照度センサＩＬＳによって検出された照度が第１の基準値Ｒ１以下であるという第１の条件が満たされているか否かを判定するととともに、イメージセンサＩＭＳの出力信号に基づく輝度信号が第２の基準値Ｒ２以下であるという第２の条件が満たされているか否かを判定する。第１の判定基準は、照度センサＩＬＳが設けられている図２の筐体２０の正面側の明るさを判定するためのものであり、第２の判定基準は、イメージセンサＩＭＳが設けられている筐体２０の裏面側の明るさを判定するためのものである。明るさ判定部３０は判定結果をシステム制御部３１に出力する。
【００４０】
システム制御部３１は、ユーザの要求に基づいて放射線検出器１４に対して放射線の測定開始の指令を出力する。このとき、システム制御部３１は、放射線の測定開始を指令する前に、明るさ判定部３０による判定結果に基づいて放射線の測定が可能か否かを判定する。具体的には上記の第１および第２の条件のいずれか一方が満たされていない場合には、システム制御部３１は、入射光の強度が基準値を超えているために放射線の測定ができないと判定する。この場合、システム制御部３１は、放射線の測定開始の指令を出力せずに、判定結果に基づく情報をユーザに通知する。具体的には、表示部１２にメッセージを表示したり、スピーカ９から警告音を発したり、バイブレータ１３を振動させたりすることによってユーザに放射線の測定不能を通知する。
【００４１】
システム制御部３１は、放射線測定が可能な場合（上記の第１および第２の条件が両方とも満たされている場合）には、放射線検出器１４に測定開始を指令する。そして、システム制御部３１は、放射線量の算出に十分な量の測定データを放射線検出器１４から受け取ることができた時点で、測定終了の指令を放射線検出器１４に出力する。
【００４２】
図４は、実施の形態１の携帯電話機１によって放射線を測定する手順を示すフローチャートである。以下、図３、図４を参照して、ＣＰＵ２による放射線計測の手順に関してこれまでの説明を総括する。
【００４３】
ＣＰＵ２は、図１の入力部１１から放射線測定の要求を受けると（ステップＳ１０１でＹＥＳ）、照度センサＩＬＳによって検出された照度の値を取得し（ステップＳ１０２）、照度の値が基準値Ｒ１以下であるという第１の条件が満たされているか否かを判定する（Ｓ１０３）。さらに、ＣＰＵ２は、イメージセンサＩＭＳの出力信号に基づく輝度信号を取得し（ステップＳ１０４）、輝度信号が基準値Ｒ２以下であるという第２の条件が満たされているか否かを判定する（ステップＳ１０５）。ＣＰＵ２は、第１および第２の条件の少なくとも一方が満たされていない場合には（ステップＳ１０３でＮＯまたはステップＳ１０５でＮＯ）、ユーザに測定不能を通知する（ステップＳ１０７）。この通知によって、ユーザは入射光の強度が基準値以下である放射線測定に適した場所に移動することが促される。
【００４４】
上記の第１および第２の条件が両方とも満たされている場合には（ステップＳ１０３でＹＥＳかつステップＳ１０５でＹＥＳ）、ＣＰＵ２は、放射線検出器１４による放射線の測定を開始する（ステップＳ１０６）。
【００４５】
［まとめ］
以上のとおり、実施の形態１の携帯電話機１によれば、搭載されている照度センサＩＬＳおよびカメラ（ＣＣＤまたはＣＭＯＳイメージセンサＩＭＳ）を使用して、携帯電話機１に入射される光の強度の測定が行なわれる。この結果、入射光の強度が基準値を超えている場合には、放射線の測定精度が下がる可能性があることが、液晶パネルへの表示、警告音の発報およびバイブレータ動作のうちの少なくとも１つによって測定者（ユーザ）へ通知される。これによって、照度が低く放射線量を正しく測定するための条件に適した場所へ測定者を誘導することが可能になる。正確な測定環境であることを測定者（ユーザ）に通知することで測定精度の低い不必要な測定を避けることができるので、測定時間の短縮、正確な放射線測定データの収集が可能になる。照度センサおよびカメラ（イメージセンサ）はほとんどの携帯電話機に標準搭載されている部品であるので、これらの部品を流用することよって余分なコストがかからないというメリットがある。
【００４６】
［変形例］
上記では、照度センサＩＬＳによって携帯電話機１の正面側の入射光強度を測定し、イメージセンサＩＭＳによって携帯電話機１の裏面側の入射光強度を測定していた。通常、太陽光もしくは照明光は上方から携帯電話機１に入射されるので、携帯電話機１の姿勢を限定すれば、一方のセンサのみを用いて入射光強度を測定しても構わない。
【００４７】
たとえば、照度測定中には表示部１２の画面を上方に向けるようにユーザに促すメッセージを画面に表示させることによって、照度センサの測定のみに限定することができる。照度センサＩＬＳのみが設けられていてカメラ（イメージセンサＩＭＳ）が設けられていない携帯電話機１についても同様のメッセージを表示するようにすればよい。
【００４８】
あるいは、図１の加速度センサ１７によって検出した重力の方向に基づいて、上方側に位置しているセンサの出力のみを用いて入射光強度を判定するようにしてもよい。
【００４９】
あるいは、照度センサが携帯型電子機器の裏面側に設けられている場合についても、その照度センサを入射光の方向（通常、上方）に向けることによって、単一の照度センサによる計測結果を用いて、入射光強度が基準値以下であるか否かを判定することができる。
【００５０】
＜実施の形態２＞
図５は、実施の形態２による携帯電話機１Ａの構成を模式的に示す断面図である。図５の携帯電話機１Ａは、照度センサＩＬＳが設けられずに、筐体２０の正面側に設けられた第１のイメージセンサＩＭＳ１と裏面側に設けられた第２のイメージセンサＩＭＳ２とを含む点で図２の携帯電話機１と異なる。通常、正面側のイメージセンサＩＭＳ１は、ユーザの顔を撮像するカメラとして用いられるともに、照度センサの役割も兼ねる。
【００５１】
携帯電話機１Ａのその他の構成は、実施の形態１の場合と同じであるので、詳しい説明を繰り返さない。たとえば、実施の形態２の場合には、図１の照度センサＩＬＳに代えて、イメージセンサＩＭＳ１とイメージセンサＩＭＳ１の出力信号に基づいて輝度信号を生成するＤＳＰとが設けられる。図１のイメージセンサＩＭＳは、図５の第２のイメージセンサＩＭＳ２に相当する。
【００５２】
図６は、実施の形態２の携帯電話機１Ａによって放射線を測定する手順を示すフローチャートである。
【００５３】
図１、図５、図６を参照して、ＣＰＵ２は、入力部１１から放射線測定の要求を受けると（ステップＳ２０１でＹＥＳ）、イメージセンサＩＭＳ１の出力信号に基づく輝度信号を取得し（ステップＳ２０２）、輝度信号の値が基準値Ｒ３以下であるという第１の条件が満たされているか否かを判定する（Ｓ２０３）。さらに、ＣＰＵ２は、イメージセンサＩＭＳ２の出力信号に基づく輝度信号を取得し（ステップＳ２０４）、輝度信号が基準値Ｒ２以下であるという第２の条件が満たされているか否かを判定する（ステップＳ２０５）。ＣＰＵ２は、第１および第２の条件の少なくとも一方が満たされていない場合には（ステップＳ２０３でＮＯまたはステップＳ２０５でＮＯ）、ユーザに測定不能を通知する（ステップＳ２０７）。この通知によって、ユーザは入射光の強度が基準値以下である放射線測定に適した場所に移動することが促される。
【００５４】
上記の第１および第２の条件が両方とも満たされている場合には（ステップＳ２０３でＹＥＳかつステップＳ２０５でＹＥＳ）、ＣＰＵ２は、放射線検出器１４による放射線の測定を開始する（ステップＳ２０６）。
【００５５】
このように、照度センサに代えてイメージセンサが正面側に設けられている携帯電話機１Ａにおいても、実施の形態１の場合と同様の作用効果を奏する。
【００５６】
なお、実施の形態１で説明したように、太陽光もしくは照明光は通常上方から携帯電話機１Ａに入射することを利用すれば、たとえば、いずれか一方のイメージセンサを上方に向けるようにユーザに促すメッセージを表示部１２に表示することによって、一方のイメージセンサのみを用いて入射光強度の測定することも可能である。正面側のイメージセンサＩＭＳ１または裏面側のイメージセンサＩＭＳ２の一方のみが設けられている機器の場合も、同様のメッセージを表示するようにすればよい。
【００５７】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００５８】
１，１Ａ  携帯電話機（携帯型電子機器）、２  ＣＰＵ、９  スピーカ、１１  入力部、１１Ａ  タッチパネル、１２  表示部、１３  バイブレータ、１４  放射線検出器、１５  入射光検出部、１７  加速度センサ、２０  筐体、２１  センサカバー、３０  明るさ判定部、３１  システム制御部、ＩＬＳ  照度センサ、ＩＭＳ，ＩＭＳ１，ＩＭＳ２  イメージセンサ。
【図１】
2013195267.tif 000003
【図２】
2013195267.tif 000004
【図３】
2013195267.tif 000005
【図４】
2013195267.tif 000006
【図５】
2013195267.tif 000007
【図６】
2013195267.tif 000008